(57)【要約】【課題】  ハードディスクや光ディスクなど大容量の記録メディアに記録されている複数の録画コンテンツ情報を、的確に且つ簡単な操作で表示することにより、予め見たい録画内容を容易に把握することが出来るデジタル録画再生装置及びデジタル録画再生装置の情報表示方法を提供することを目的とする。【解決手段】  デジタル録画再生装置１において、記録メディア７０に記録されたコンテンツのタイトル名や録画日時などの録画コンテンツ情報を情報記憶領域に記録し、当該情報を読み出して内部メモリ４２などに記憶させておき、再生を中断していた録画コンテンツの再生再開をするとき、又は記録メディア７０における複数の録画コンテンツの切り替わりなどにおいては、これから再生される録画コンテンツの前記録画コンテンツ情報を、前記内部メモリ４２などから読み出して再生開始映像と共に所定時間だけ自動的に表示させる。【選択図】      図１
2006014012.tif 000002
【特許請求の範囲】
【請求項１】
複数の録画コンテンツをランダムアクセス可能な記録メディアに録画再生する録画再生手段を備え、前記録画再生手段を遠隔操作するリモコンを有するデジタル録画再生装置において、前記記録メディアに録画された複数の録画コンテンツに関するタイトル名や録画日時などの録画コンテンツ情報は前記記録メディアの情報記憶領域に記録されてあり、当該記録された前記録画コンテンツ情報を前記情報記憶領域から読み出して録画コンテンツ情報処理部によりメモリに記憶させておき、当該録画コンテンツの再生を指示するたびに、前記録画コンテンツ情報処理部により前記メモリから前記録画コンテンツ情報を読み出して、前記表示制御部により再生を開始した動画映像と共に前記録画コンテンツ情報を所定時間表示させる情報表示手段を備えたことを特徴とするデジタル録画再生装置。
【請求項２】
前記情報表示手段において、単純再生を行うときは、再生を指示すると、自動的に前記記録メディアに録画された複数の録画コンテンツの中から最初に録画された録画コンテンツ順に再生を開始すると共に、当該再生を開始した動画映像と共に自動的に当該録画コンテンツ情報を所定時間表示することを特徴とする請求項１記載の情報表示手段を備えたデジタル録画再生装置の情報表示方法。
【請求項３】
前記情報表示手段において、選択再生を行うときは、前記複数の録画コンテンツ情報の一覧を表示させ、当該表示した録画コンテンツ情報の一覧から再生したい録画コンテンツを選択することにより、当該選択されて再生を開始した動画映像と共に自動的に当該録画コンテンツ情報を所定時間表示することを特徴とする請求項１記載の情報表示手段を備えたデジタル録画再生装置の情報表示方法。
【請求項４】
前記情報表示手段において、停止位置からの再生を行うときは、前記再生途中に停止した停止位置をスタートとして再生を再開すると共に、再生を開始した動画映像と共に自動的に当該録画コンテンツ情報を所定時間表示することを特徴とする請求項１記載の情報表示手段を備えたデジタル録画再生装置の情報表示方法。
【請求項５】
前記情報表示手段において、第二録画コンテンツの再生を行うときは、第一コンテンツにひき続いて再生を開始する第二録画コンテンツ情報を、再生を開始した動画映像と共に自動的に所定時間表示することを特徴とする請求項１記載の情報表示手段を備えたデジタル録画再生装置の情報表示方法。
【発明の詳細な説明】
【技術分野】
【０００１】
本発明は、録画再生装置に関し、大容量で複数の番組をデジタル情報として記録再生が可能なデジタル録画再生装置及びデジタル録画再生装置の情報表示方法に関し、特に、光ディスクやハードディスクなどの記録メディアに記録されている複数の録画コンテンツ情報を簡単な操作で表示することにより、ユーザなどが予め見たい録画内容を容易に把握することが出来る実用性に優れたデジタル録画再生装置及びデジタル録画再生装置の情報表示方法の技術分野に関する。
【背景技術】
【０００２】
従来から複数のテレビ番組などが記録された記録メディアから見たい番組を選択して再生する場合、当該記録メディアに記録された複数の録画コンテンツ毎に録画開始日時を表示する。若しくは記録メディアに記録された複数の録画コンテンツの先頭の静止映像を時間軸アドレスに従って記憶しておき、再生するときは各々の録画コンテンツを代表する静止映像を一覧にして表示し、この一覧表示された静止映像の中から再生したい録画コンテンツをユーザがリモコンを操作して選択することにより番組の再生映像を視聴することが出来るようにされていた。
【０００３】
このような録画再生装置については、例えば次のような従来技術が知られている。特許文献１には、図７に示すように、表示画面８０に再生されるべき複数の録画コンテンツの先頭にあたる当該複数の静止映像を（７Ａ）〜（７Ｆ）のように一覧で表示し、表示された前記静止映像の一覧の中からリモコンの操作により見たい録画コンテンツを選択することで静止映像による検索が可能であると共に、録画コンテンツの再生を中断するとき、その再生を再開すべき録画コンテンツ内の部分を特定するための停止位置情報を記憶するメモリと、記憶されている停止位置情報に基づいて、今回再生すべき録画コンテンツが、中断している再生が再開されるべき録画コンテンツであるか、或いは録画コンテンツの先頭から再生されるべき録画コンテンツであるかを判定し、録画コンテンツが、中断している再生が再開されるべき録画コンテンツであるとき、停止位置情報に基づいて再開部分を特定し、当該特定した再開部分を代表する静止映像を出力し、一方、録画コンテンツが、当該録画コンテンツの先頭から再生されるべき録画コンテンツであるとき、予め設定されている静止映像を出力するＣＰＵと、を備えている。
【０００４】
また、特許文献２には、記録メディアに複数記録された録画コンテンツの先頭静止映像の一覧表示（図示略）をおこないシーン検索が可能であると共に、ユーザが過去に番組の再生の停止を指示したときの情報を保持する再生停止位置テーブルを備え、ユーザがリモコンの操作によりシーン検索指示を与えると、ＣＰＵは、再生停止位置テーブルを参照して、再生停止位置に対応する静止映像を抽出し、シーン検索画面に再生停止位置に対応する静止映像を表示する機能し、再生開始位置の選択枝のひとつとすることでユーザは視聴したい続き部分をすばやく頭出しすることが出来る。また、ユーザ毎に異なるリモコンを操作することで、複数のユーザが同一の記録メディアを利用することも可能である。
【０００５】
さらに、特許文献３には、テープ状記録メディアに記録した映像信号と音声信号のどちらか一方あるいは双方を再生した時刻を再生時刻データとしてメモリ部に記憶及び読み出して表示部に表示（図示略）することにより、使用者がテープを再生した年月日、時刻を確認することが出来る。
【０００６】
【特許文献１】特開２００４−３２３７５号公報
【特許文献２】特開２００３−１０１９１１号公報
【特許文献３】特開平１１−１３４８４１号公報
【発明の開示】
【発明が解決しようとする課題】
【０００７】
本発明は、複数の録画コンテンツを録画した記録メディアの中から再生したい録画コンテンツの内容に関する情報を的確に、且つ再生映像と共に所定時間表示させると共に、特に人手によるリモコンの操作を減らして簡便に記録メディアに録画された概要を表示することが可能なデジタル録画再生装置及びデジタル録画再生装置の情報表示方法を提供することを目的とする。
【０００８】
前記従来技術によれば、特許文献１のデジタル録画再生装置は、記録メディアに記録された複数の録画コンテンツの先頭にあたる静止映像を一覧で表示し、表示された前記静止映像の一覧の中からリモコンの操作により見たい録画コンテンツを選択する静止映像による検索が可能である共に、個々の録画コンテンツが再生を中断したものであるか否かを判定し、再生を中断したコンテンツは停止位置に対応する静止映像を表示すると共に、再生を中断されていないコンテンツは当該コンテンツの先頭の静止映像を表示する。しかし、再生を中断した、若しくは中断されていないに関わらず、録画コンテンツの先頭に当たる静止映像の表示のみで、再生が開始される録画コンテンツに関する情報の表示については記載されていない。
【０００９】
また、特許文献２のデジタル録画再生装置は、記録メディアに複数記録された録画コンテンツの先頭静止映像の一覧表示をおこないシーン検索が可能であると共に、ユーザが過去に番組の再生の停止を指示したときの情報を保持し、ユーザがリモコンの操作によりシーン検索指示を与えると、再生停止位置に対応する静止映像を抽出する。しかし、再生が停止された録画コンテンツの先頭静止映像を表示させるには、リモコンによる操作が必要であり、再生が開始される録画コンテンツに関する情報の表示については記載されていない。
【００１０】
このように、特許文献１及び２においては、記録メディアに記録された複数の録画コンテンツに対応した静止映像の一覧が表示されると共に、中断している再生が再開されるときは再開部分を特定した静止映像を表示するが、いずれも当該静止映像がどのような番組内容であるか否かなどの録画コンテンツ情報を表示しないことから、予め録画予約をしていなかったことなどにより、思いついてから慌てて番組開始の間際に録画を開始せざるを得ない状況におかれたとか、見ていた番組の途中から録画をしたくなったときなどにおいては、再生開始時刻が録画したい番組の真の開始時刻とズレを生じてしまうことなどが往々にしてあり得る。こうした状況においては録画開始時刻が録画したい番組の前の番組の最後にあたる部分となってしまうことや、コマーシャルなどのタイミングと合致してしまうといったことも想定される。こうした場合においては、この録画内容を代表する先頭画面の静止映像のみから録画した番組の概要を推察することは困難といわざるを得ない。また、仮に本来見たい番組の開始にタイミングが合っていたとしてもその一瞬を表す静止映像であり、複数の録画コンテンツを記録した記録メディアの中から、その番組の概要をユーザが思い出せないことも十分に想定される。さらに、ユーザは記録メディアに記録された録画コンテンツの再生を行う度に、表示画面に表示された静止映像の一覧の中から見たい録画コンテンツを図７の７０１により選択する操作と、図７の７０３による確定の操作が必要であり、これは煩雑な作業であると共に、録画コンテンツを代表する１コマの静止映像から録画内容を思い出すためには十分な情報量とはいいがたい問題がある。また、前記再生を中断するに当たり、中断する理由によっては停止したときの内容が次のように異なってしまうこともある。例えば、ユーザが突然の来客や電話で再生を停止せざるを得ないとしたときは再生されている番組の途中で緊急停止させる可能性が高く、後に再生を再開するときは再生停止時の静止映像が表示されるので当該静止映像から再生を停止する前の番組の概要を思い出すことは可能である。一方、用事を思い出して再生を停止するときはコマーシャルを停止の区切りとして利用する場合が多い。こうした場合、後に再生を開始するときはコマーシャルの静止映像が表示されるので、このコマーシャルの静止映像は何の番組を録画していたのかとの疑問を抱かざるを得ない状況になり得る。さらに、静止映像を記憶するには当該記憶するためのメモリ領域が必要で、前記メモリなどのコストアップになると共に、前記静止映像として記憶させるためには信号処理の複雑化を招くといった問題がある。
【００１１】
また、特許文献３には、テープ状記録メディアに記録した映像・音声信号を再生した時刻を再生時刻データとしてメモリ部に記憶及び読み出して表示部に表示することにより、使用者がテープを再生した年月日、時刻を確認することが出来る。しかし、この方法ではメモリ部に記憶されたデータを読み出して表示することは自動的に行われるものではなく、また、表示される内容も、再生を一時停止した時の位置、即ち再生位置を現す時刻情報だけであり、どのような再生映像とタイトル名の録画コンテンツであるのかなどは分からないといった問題があった。
【課題を解決するための手段】
【００１２】
請求項１に係る情報表示手段を備えたデジタル録画再生装置の情報表示方法及びそれを備えたデジタル録画再生装置は、複数の録画コンテンツをランダムアクセス可能な記録メディアに録画再生する録画再生手段を備え、前記録画再生手段を遠隔操作するリモコンを有するデジタル録画再生装置において、前記記録メディアに録画された複数の録画コンテンツに関するタイトル名や録画日時などの録画コンテンツ情報は前記記録メディアの情報記憶領域に記録されてあり、当該記録された前記録画コンテンツ情報を前記情報記憶領域から読み出して録画コンテンツ情報処理部によりメモリに記憶させておき、当該録画コンテンツの再生を指示するたびに、前記録画コンテンツ情報処理部により前記メモリから前記録画コンテンツ情報を読み出して、表示制御部により再生を開始した動画映像と共に前記録画コンテンツ情報を所定時間表示させる情報表示手段を備えたことを特徴とする。
【００１３】
請求項１の構成によれば、前記記録メディアに録画された複数の録画コンテンツに関するタイトル名や録画日時などの録画コンテンツ情報は、当該録画コンテンツの再生を指示するたびに、再生された動画映像と共に表示させることにより、再生された動画映像と、表示された録画日時や録画した番組内容を代表するタイトル名などの両方から再生が開始された番組の概要を容易で且つ的確に確認することが出来る。
【００１４】
請求項２に係る情報表示手段を備えたデジタル録画再生装置の情報表示方法において、単純再生を行うときは、再生を指示すると、自動的に前記記録メディアに録画された複数の録画コンテンツの中から最初に録画された録画コンテンツ順に再生を開始すると共に、当該再生を開始した動画映像と共に自動的に当該録画コンテンツ情報を所定時間表示することを特徴とする。
【００１５】
請求項２の構成によれば、単純再生を行うときは、再生を指示すると、自動的に前記記録メディアに録画された複数の録画コンテンツの中から最初に録画された録画コンテンツ順に再生を開始すると共に、当該再生を開始した動画映像と共に自動的に当該録画コンテンツ情報を所定時間表示するので、録画順に再生したいときには簡便であると共に、再生を開始した録画コンテンツ動画映像と、自動的に表示されるタイトル名や録画日時などから、どんな概要の番組であるかなどを容易に且つ的確に確認することが出来る。
【００１６】
請求項３に係る情報表示手段を備えたデジタル録画再生装置の情報表示方法において、選択再生を行うときは、前記複数の録画コンテンツ情報の一覧を表示させ、当該表示した録画コンテンツ情報の一覧から再生したい録画コンテンツを選択することにより、当該選択されて再生を開始した動画映像と共に自動的に当該録画コンテンツ情報を所定時間表示することを特徴とする。
【００１７】
請求項３の構成によれば、選択再生を行うときは、前記複数の録画コンテンツ情報の一覧を表示させ、続いて表示した録画コンテンツ情報の一覧から再生したい録画コンテンツを選択することにより、当該選択されて再生を開始した動画映像と共に自動的に当該録画コンテンツ情報を所定時間表示するので、一覧表示された中から見たい番組の録画コンテンツを選び出すことが出来ると共に、再生を開始した録画コンテンツの動画映像と、自動的に表示されるタイトル名や録画日時などからどんな概要の番組であるかを再度確認することが出来る。
【００１８】
請求項４に係る情報表示手段を備えたデジタル録画再生装置の情報表示方法において、停止位置からの再生を行うときは、前記再生途中に停止した停止位置をスタートとして再生を再開すると共に、再生を開始した動画映像と共に自動的に当該録画コンテンツ情報を所定時間表示することを特徴とする。
【００１９】
請求項４の構成によれば、停止位置からの再生を行うときは、前記再生途中に停止した停止位置をスタートとして再生を再開すると共に、再生を開始した動画映像と共に自動的に当該録画コンテンツ情報を所定時間表示するので、再生を開始した録画コンテンツの動画映像と自動的に表示されるタイトル名や録画日時などから、ユーザは再生を中断するまで見ていた番組の内容を容易に思い出すことが出来る。
【００２０】
請求項５に係る情報表示手段を備えたデジタル録画再生装置の情報表示方法において、第二録画コンテンツの再生を行うときは、第一録画コンテンツにひき続いて再生を開始する第二録画コンテンツ情報を、再生を開始した動画映像と共に自動的に所定時間表示することを特徴とする。
【００２１】
請求項５の構成によれば、第二録画コンテンツの再生を行うときは、第一録画コンテンツにひき続いて再生を開始する第二録画コンテンツ情報を、再生を開始した動画映像と共に自動的に所定時間表示するので、録画コンテンツの切り替わりに際してはリモコンの操作による再生映像の確認を要することの必要も無く、次に再生を開始した番組の録画コンテンツの概要を簡単に確認することが出来る。
【発明の効果】
【００２２】
請求項１に係る情報表示手段を備えたデジタル録画再生装置及びデジタル録画再生装置の情報表示方法の発明によれば、前記記録メディアに録画された複数の録画コンテンツに関するタイトル名や録画日時などの録画コンテンツ情報を、当該録画コンテンツの再生を指示するたびに、再生された動画映像と共に文字表示させることにより、再生された動画映像と、表示された録画日時や録画した番組内容を代表するタイトル名などの両方から再生が開始された番組の概要を容易で且つ的確に確認することが出来るので、若し録画した内容を忘れていた場合でも容易に思い出すことが可能となる共に、録画開始の一瞬が録画コンテンツのスタート位置と若干のズレを生じていて、例えば再生が再開された映像がコマーシャル映像であっても、コマーシャル映像を見ながら、続いて映し出される再生映像は目的とする見たい番組を録画した録画コンテンツであると容易に判断することが出来るので、ユーザにとっては何の心配も抱かずに継続して見ていることが出来ることから、従来例のように、録画コンテンツ情報としてコマーシャルの静止映像が映し出された場合はこの録画コンテンツ情報から見たい番組であるか否かの判断が出来ない状況になるような恐れは回避され、的確に見たい番組の概要を知ることが出来る。さらに、再生が開始されるときに録画コンテンツ情報と共に表示される映像は静止映像ではなく、動画映像が再生されるので、静止映像を記憶するためのメモリ領域は不要であり、前記メモリなどのコストアップになることも無く、前記静止映像として記憶させるための信号処理の複雑化を回避することが出来る。
【００２３】
請求項２に係る情報表示手段を備えたデジタル録画再生装置及びデジタル録画再生装置の情報表示方法の発明によれば、単純再生を行うときは、ユーザが再生を指示すると、自動的に前記記録メディアに記録された複数の録画コンテンツの中から最初に録画された録画コンテンツ順に再生を開始すると共に、当該再生を開始した動画映像と共に自動的に当該録画コンテンツ情報を所定時間表示するインフォメーション表示を行うことから、当該再生を開始した動画映像と録画日時や、録画した番組概要を代表するタイトル名などから再生が開始された番組の概要を確認することが出来る。
【００２４】
請求項３に係る情報表示手段を備えたデジタル録画再生装置及びデジタル録画再生装置の情報表示方法の発明によれば、選択再生を行うときは、前記複数の録画コンテンツ情報の一覧を表示させ、当該表示した録画コンテンツ情報の一覧から再生したい録画コンテンツを選択することが出来ることから、当該記録メディアにはどのような番組を何時録画してあったのかを容易に知ることが出来ると共に、その番組の概要を予め確認した上で見たい番組を録画した録画コンテンツを選択することが容易に行える。また、引き続き、当該選択されて再生を開始した動画映像と共に自動的に当該録画コンテンツ情報を所定時間表示するインフォメーション表示を行うことから、選択した録画コンテンツが見たい番組であったか否かも再度確認することが簡単に出来る。
【００２５】
請求項４に係る情報表示手段を備えたデジタル録画再生装置及びデジタル録画再生装置の情報表示方法の発明によれば、停止位置からの再生を行うときは、前記再生途中に停止した停止位置をスタートとして再生を再開すると共に、再生を開始した動画映像と共に自動的に当該録画コンテンツ情報を所定時間表示するインフォメーション表示を行うことにより、停止で再生を中断していた番組の再生映像と、再生を再開した番組の概要を示す録画コンテンツ情報との両方から、ユーザは再生を中断するまで見ていた番組内容に関する記憶を容易に甦らせることが出来る。しかし、前記再生を中断するに当たり、中断する理由によっては停止したときの内容が次のように異なってしまうこともある。例えば、ユーザが突然の来客や電話で再生を停止せざるを得ないとしたときは再生されている番組の途中で緊急停止する可能性が高いが、こうした場合では、後に再生を再開した再生映像は再生を停止した番組内容の続きが再生されるので表示される録画コンテンツ情報と再生を開始した動画映像からどんな番組の再生を中断していた録画コンテンツであったかを容易に判断することが出来る。しかし、一方で、用事を思い出して再生を停止するときはコマーシャルを停止の区切りとして利用する場合が多い。こうした場合は、後に再生を開始したときにコマーシャルから再生が始まるので、この再生映像が静止映像であった場合は何の番組を録画していたのかとの疑問を抱かざるを得ない状況になり得るが、本発明においては再生が開始されるときに録画コンテンツ情報と共に表示される映像は動画が再生されるので、映し出された再生映像の変化と録画コンテンツ情報によるタイトル名や録画日時情報との両方から再生を再開した録画コンテンツの内容をユーザは容易に思い出すことが出来る。
【００２６】
請求項５に係る情報表示手段を備えたデジタル録画再生装置及びデジタル録画再生装置の情報表示方法の発明によれば、第二録画コンテンツの再生を行うときは、今まで見ていた第一録画コンテンツにひき続いて再生を開始する第二録画コンテンツ情報を、再生を開始した動画映像と共に自動的に所定時間表示するインフォメーション表示を行うことから、録画コンテンツの切り替わりに際しても続いて再生を開始した録画コンテンツの概要を誰でも簡単に確認することが出来る。
【発明を実施するための最良の形態】
【００２７】
以下、本発明を実施するための最良の形態としての実施例を図１〜図６により以下に説明する。もちろん、本発明は、その発明の趣旨に反さない範囲で、実施例において説明した以外のものに対しても容易に適用可能なことは説明を要するまでもない。
【００２８】
図１は本発明におけるデジタル録画再生装置と再生時の情報表示の一実施例を示す概略の構成を示すブロック図である。
【００２９】
デジタル録画再生装置１は大容量でランダムアクセスが可能なＤＶＤ（Ｄｉｇｉｔａｌ  Ｖｅｒｓａｔｉｌｅ  Ｄｉｓｃ）装置を内蔵したテレビであり、この録画再生装置１には、ＴＶチューナ２０から供給されるＴＶ映像信号をデジタル映像信号に変換するＡ／Ｄ変換部３１と、前記デジタル映像信号を符号化して符号化映像信号に変換するＭＰＥＧ（Ｍｏｖｉｎｇ  Ｐｉｃｔｕｒｅ  Ｅｘｐｅｒｔｓ  Ｇｒｏｕｐ）エンコーダ３２と、当該符号化映像信号をランダムアクセス可能な記録メディア７０であるＤＶＤに記録再生するピックアップ３５と、再生して得られる符号化映像信号を復号するＭＰＥＧデコーダ３３と、前記復号して得られた復号映像信号をアナログ映像信号に変換するＤ／Ａ変換部３４と、を有する映像音声処理部３０を備え、当該アナログ映像信号を表示映像信号に変換する表示制御部４３を有するＣＰＵ（Ｃｅｎｔｒａｌ  Ｐｒｏｃｅｓｓｉｎｇ  Ｕｎｉｔ）４０と、前記表示映像信号を表示する表示画面８０と、を備え、且つ、これらを遠隔操作するリモコン（Ｒｅｍｏｔｅ  Ｃｏｎｔｒｏｌｅｒ）６０を備えている。
【００３０】
図２は本発明におけるデジタル録画再生装置再生時の情報表示の一実施例を示すフロー図である。
【００３１】
最初に、記録メディア７０を前記デジタル録画再生装置１の前記映像音声処理部３０に装填して、前記記録メディア７０に記録された複数の録画コンテンツを情報記憶領域から読み出そうとするときの動作を、図１及び図２を参照しながら以下に説明する。
【００３２】
図１に示す記録メディア７０を前記デジタル録画再生装置１の前記映像音声処理部３０に装填すると、図２の２０１により、当該記録メディア７０の情報記憶領域に記録された複数の録画コンテンツに対応した各々の録画コンテンツのタイトル名、録画開始日時、録画終了日時、録画モードなどの録画コンテンツ情報を前記映像音声処理部３０が自動的に読み出して前記ＣＰＵ４０に内蔵された録画コンテンツ情報処理部４１に渡す。
【００３３】
これを受けた録画コンテンツ情報処理部４１は、図２の２０２により前記内部メモリ４２、又は外部メモリ５０に当該装填された記録メディア７０に記録されている録画コンテンツ情報として記憶させる。このときに、もし録画コンテンツが記録されていなければ、情報記憶領域が読み込めないので表示画面に「ディスクエラー」と表示される。
【００３４】
図６は本発明におけるデジタル録画再生装置のリモコンの操作キー配置の一実施例を示す斜視図である。
【００３５】
続いて、最初に録画された録画コンテンツから順番に再生映像を見ようとする「単純再生」を行うときの動作を、図１、図２及び図６を参照しながら以下に説明する。因みに、この「単純再生」は、必ずしも最初に録画された順だけに限らず、新しい録画コンテンツ順やジャンル別の再生順なども可能である。
【００３６】
ユーザが図１に示す記録メディア７０に記録された複数の録画コンテンツの中から最初に録画された録画コンテンツから順番に再生映像を見ようとするとするときは、まず図１、及び図６に示すリモコン６０の「再生キー」６３を１回押して再生を指示する。
【００３７】
これにより、前記ＣＰＵ４０に内蔵された前記録画コンテンツ情報処理部４１は、図２の２０３により、録画コンテンツの再生動作に移る。図１に示す録画コンテンツ情報処理部４１は映像音声処理部３０に対して記録メディア７０に記録された当該録画コンテンツの中で録画日時が古いものから先に再生することを指示し、前記映像音声処理部３０は記録メディア７０に符号化映像信号として記録され複数の録画コンテンツのうち当該指定された録画コンテンツの符号化映像信号を映像音声処理部３０に内蔵されたピックアップ３５により記録メディア７０から読み出して、同じく映像音声処理部３０に内蔵されたＭＰＥＧデコーダ３３が復号する。続いて、前記復号して得られた復号映像信号を前記映像音声処理部３０に内蔵されたＤ／Ａ変換部３４がアナログ映像信号に変換してＣＰＵ４０に内蔵された表示制御部４３に渡す。表示制御部４３はアナログ映像信号を表示画面８０に表示可能な表示映像信号に変換する。
【００３８】
続いて図２の２０４により、当該録画コンテンツに関する情報をメモリから取り出す動作に移る。図１に示す内部メモリ４２又は外部メモリ５０に記憶された当該録画コンテンツ情報は録画コンテンツ情報処理部４１により取り出されて前記録画コンテンツの映像信号と共に表示制御部４３に渡される。
【００３９】
次に図２の２０５により、取り出した録画コンテンツ情報を再生映像と共に所定の時間表示する動作に移る。図１に示す表示制御部４３では内蔵されたＯＳＤ（Ｏｎ  Ｓｃｒｅｅｎ  Ｄｉｓｐｌａｙ）処理部（図示略）により録画コンテンツ情報を表示画面８０に表示可能な表示文字信号に変換し、同じく表示制御部４３により再生された録画コンテンツの表示映像信号とオーバーラップ可能に加工され、表示画面８０で再生映像とオーバーラップした録画コンテンツ情報として自動的に所定時間である概ね４秒間インフォメーション表示される。
【００４０】
次に図２の２０６により、所定時間表示された当該録画コンテンツ情報は表示画面８０から消え、再生された録画コンテンツの再生映像が継続して表示される。この機能は、録画順に見たいとする一般ユーザの要望を想定しており、前記リモコン６０の「再生キー」６３を押すだけで、記録メディア７０に記録された録画コンテンツ単位で再生が開始され、それと共に再生が開始された録画コンテンツの概要が自動的に表示されるので、ユーザにとっては記憶されたイメージ通りの録画コンテンツが再生され始めたことを簡単に確認することが出来る。しかし、時として録画開始の一瞬が録画コンテンツのスタート時刻と若干のズレを生じてしまうことがある。例えば録画開始時刻が早すぎて録画したい番組の前の番組の最後にあたる部分となってしまうとか、コマーシャルなどのタイミングと合致してしまう、又は番組が始まってしまうといった状況が想定されるが、こうした場合でも映し出された映像は動画であり、例えば前の番組の最後にあたる部分から再生が開始され、コマーシャルを挟んで見たい番組が再生されるまでの間に、再生映像とオーバーラップして表示されるタイトル名と録画日時などの録画コンテンツ情報で確認することにより、これから再生を開始する録画コンテンツが見たい番組を録画した録画コンテンツであるか否かを容易に、且つ的確に判断することが出来ることから、ユーザは何の心配も抱かずに継続して映し出されたコマーシャル映像などを見ながら当該番組の開始まで待つか、
【００４１】
或いは図１、及び図６に示すリモコン６０の「スキップキー」６６を押して早送りすることにより再生映像をスキップさせて見たい番組の頭出しをすることが出来る。このときもスキップして再生を開始した再生映像と共に当該録画コンテンツに関する録画コンテンツ情報が所定時間、自動的にインフォメーション表示される。
【００４２】
ちなみに、当該記録メディアに記録された複数の録画コンテンツの中で、再生を中断した録画コンテンツがある場合は、前記リモコン６０の「再生キー」６３を押しても、再生を中断した録画コンテンツの再開に関する動作が優先される。
【００４３】
次に記録メディア７０に記録された複数の録画コンテンツの中で、今まで見ていた第一録画コンテンツの再生が終了し、次の第二録画コンテンツに切り替わる時において、「第二録画コンテンツの再生」を開始するときの録画コンテンツ情報の表示についての動作を、図１、及び図２を参照しながら以下に説明する。
【００４４】
表示画面に表示されている再生映像は、図２の２０６で再生された第一の録画コンテンツが終了し、次の録画コンテンツに移行する段階にある。ひとつひとつの録画コンテンツの区切りは録画開始時間と録画終了時間により区分されて録画コンテンツ情報の一部を構成しており、タイトル名と録画モードと一緒に情報記憶領域に記録されているこの録画コンテンツ情報は、既に図２の２０１による録画コンテンツ情報の読出しにより読み出され、図２の２０２により内部メモリ４２又は外部メモリ５０に記憶されている。
【００４５】
図２の２０７による第二録画コンテンツの切り替わり時においては、図２の２０４により、前記内部メモリ４２又は外部メモリ５０から、続いて再生を開始する第二録画コンテンツ情報を取り出すには、図１に示す録画コンテンツ情報処理部４１が録画コンテンツの区切りを検出して、内部メモリ４２又は外部メモリ５０に記憶させていた複数の録画コンテンツ情報から、たった今、再生が終了した第一録画コンテンツと、続いて再生を再開した第二録画コンテンツを判定し、
【００４６】
図２の２０５により、続いて新規に再生を再開した第二録画コンテンツに関する情報を内部メモリ４２又は外部メモリ５０から読み出して表示制御部４３に渡す。表示制御部４３では当該録画コンテンツ情報を表示文字信号に変換し、再生映像とオーバーラップ可能に加工して表示画面８０に渡すことで、新規に再生を開始した映像にオーバーラップした当該録画コンテンツ情報が再生映像と共に表示画面８０に自動的に所定時間インフォメーション表示される。
【００４７】
このように、録画コンテンツの切り替わりにおいては、ユーザは何もしなくても続いて再生を開始する録画コンテンツの概要を、再生を開始した映像と一緒に自動的に表示してくれるので、引き続き映し出された録画コンテンツの再生映像を続けて見るか、或いは中止するべきかなどの判断を容易に行うことが出来る。
【００４８】
次に再生されている録画コンテンツを中断し、後に当該録画コンテンツの続きを再生する「停止位置からの再生」をするときの録画コンテンツ情報の表示について図１、図２及び図６を参照しながら以下に説明する。
【００４９】
図２の２０６により、再生されていた録画コンテンツを図２の２０８により中断するときは、図１、及び図６に示すリモコン６０の「停止キー」６４を１回押して再生を停止させる。これにより、再生を中断された録画コンテンツは再生を停止した位置を次に再生開始するときの先頭位置として録画コンテンツ情報処理部４１が検出し、内部メモリ４２又は外部メモリ５０に記憶させる。
【００５０】
続いて図２の２０３により、中断されていた当該録画コンテンツの続きを再生するときは、図１、及び図６に示すリモコン６０の「再生キー」６３を１回押して再生を指示する。これにより、前記録画コンテンツ情報処理部４１は前記内部メモリ４２又は外部メモリ５０に記憶された停止位置が前記中断により停止した録画コンテンツであることを判定した上、前記停止位置を再生の再開位置として映像音声処理部３０に当該録画コンテンツの再生を指示し、前記映像音声処理部３０により記録メディア７０から録画コンテンツの符号化映像信号の読出しが再開される。
【００５１】
続いて、図２の２０４により、当該再生を再開した録画コンテンツ情報をメモリから取り出す動作に移る。図２の２０８により、当該中断され、前記内部メモリ４２又は外部メモリ５０に再生停止位置が記憶された録画コンテンツ情報を前記録画コンテンツ情報処理部４１により取り出され、前記録画コンテンツの映像信号と共に表示制御部４３に渡される。表示制御部４３では内蔵されたＯＳＤ処理部（図示略）で録画コンテンツ情報を表示文字信号に変換し、同じく表示制御部４３によりオーバーラップ可能に加工され、表示画面８０で再生映像とオーバーラップした録画コンテンツ情報が再生映像と共に所定時間だけ自動的にインフォメーション表示される。
【００５２】
これにより、ユーザは再生を中断する前の番組のストーリーなどを容易に思い出すことが出来る。しかしながら、停止する理由によっては停止したときの内容が次のように異なってしまうこともある。例えば、ユーザが突然の来客や電話で再生を停止せざるを得ないとした場合は、再生されている番組の途中で緊急停止する可能性がある。しかし、この場合は、再生を再開した映像は番組内容の続きである動画映像として再生されるので、共に表示される録画コンテンツ情報とあわせて見ることによりユーザは再生を中断する前の番組内容を容易に思い出すことが出来る。又、一方で、用事を思い出して再生を停止するときはコマーシャルを停止の区切りとして利用する場合が多い。こうした場合は、再生を開始したときにコマーシャルから再生が始まるので、コマーシャルの再生映像からこの録画コンテンツは何の番組を録画していたのかとの疑問を抱かざるを得ない状況になり得る。しかし、こうしたときでも、本発明は、再生が開始された動画映像と共に当該録画コンテンツ情報が自動的にインフォメーション表示されるのでユーザは録画を再開した番組の概要を容易に把握することが出来ると共に、再生を中断する前の番組のストーリーなどを容易に思い出すことが出来る。
【００５３】
次に記録メディア７０に記録された複数の録画コンテンツの中からひとつを選び出してから再生する「選択再生」をするときの録画コンテンツ情報の表示について図１、図２及び図６を参照しながら以下に説明する。
【００５４】
記録メディア７０に記録された複数の録画コンテンツの中からひとつを選び出してから再生するには、まず、図１、及び図６に示すリモコン６０の「表示キー」６７を２回連打する。当該記録メディア７０に記録された複数の録画コンテンツ情報は、既に図２の２０１による録画コンテンツ情報の読み出しにより読み出され、さらに図２の２０２により録画コンテンツ情報として図１に示す内部メモリ４２又は外部メモリ５０に記憶されており、リモコン６０の「表示キー」６７の指示を受けた録画コンテンツ情報処理部４１により前記メモリから取り出されて表示制御部４３に渡される。
【００５５】
表示制御部４３では内蔵されたＯＳＤ処理部（図示略）で当該録画コンテンツの一覧情報は表示文字信号に変換される。これと並行して、録画コンテンツ情報処理部４１により複数の録画コンテンツの一覧表示の中で最初に表示された録画コンテンツの再生再開が指示され、映像音声処理部３０により記録メディア７０から符号化映像信号が読み出され、読み出された当該符号化映像信号は映像音声処理部３０のＭＰＥＧデコーダ３３で復号され、続いてＤ／Ａ変換部３４によりアナログ映像信号に変換されて前記表示制御部４３に渡される。表示制御部４３では前記アナログ映像信号を表示映像信号に変換すると共に、画面に表示するための処理を行い、表示画面８０で複数の録画コンテンツ情報一覧のポップアップメニュー（Ｐｏｐｕｐ  Ｍｅｎｕ）として表示された当該メニューの中からユーザがひとつを選択するまで表示される。
【００５６】
続いてユーザがこれらのポップアップメニューに表示された中からひとつを図１、及び図６に示すリモコン６０の「ＵＰ／ＤＯＷＮキー」６８の操作で選択し、前記図１、及び図６に示すリモコン６０の「確定キー」６９を１回押すと、録画コンテンツ情報処理部４１により当該選択された録画コンテンツは図２の２０３により、再生を開始すると共に、図２の２０４により、当該録画コンテンツ情報が内部メモリ４２又は外部メモリ５０から取り出され、図２の２０５により当該選択された録画コンテンツの録画コンテンツ情報が再生を開始した録画コンテンツ映像とオーバーラップして再生映像と共に所定時間インフォメーション表示される。
【００５７】
この一連の操作を行うユーザは、まず前記リモコン６０の「表示キー」６７を２回続けて押すことにより表示画面８０に複数の録画コンテンツ情報の一覧が表示される。続いて当該一覧表示の中から、前記リモコン６０の「ＵＰ／ＤＯＷＮキー」６８により表示画面８０上から見たい番組である録画コンテンツを選び、リモコン６０の「確定キー」６９を押すだけでよい。後はユーザが選択した録画コンテンツの再生映像と当該録画コンテンツ情報が自動的にインフォメーション表示されるので、選択した録画コンテンツ情報を再確認しながら、他は何をする必要もなく再生映像の視聴を続けることが出来る。
【００５８】
図３は本発明におけるデジタル録画再生装置再生時の情報表示の一実施例を示す録画コンテンツ情報表示の変遷図である。
【００５９】
図３の（３Ａ）はユーザが図１に示す記録メディア７０に記録されている録画コンテンツの再生を指示するまでの間映し出されていたデジタル録画再生装置１の表示画面８０である。
【００６０】
ユーザが図１、及び図６に示すリモコン６０の「再生キー」６３を１回押して記録メディア７０の最初に録画された録画コンテンツから順番に再生映像を見ようとすると、図３の（３Ａ）の従来映像は中断され、図３の（３Ｂ）に示す当該最初に録画された録画コンテンツの再生映像にオーバーラップして、当該録画コテンツの録画された日時とタイトル名、録画モードが自動的にインフォメーション表示される。たとえば図３の（３Ｂ）においては録画開始が２００４年４月２０日の午後９時で録画終了が同日の午後１０時であり、タイトル名はＳＰＯＲＴＳ、録画モードはＬＰと表示されている。この情報表示は所定時間である概ね４秒間が経過すると消えて図３の（３Ｃ）に示すように再生映像のみとなる。
【００６１】
次に、今まで再生していた第一録画コンテンツが終了し、次の第二録画コンテンツに切り替わると、当該新規に再生を開始した第二録画コンテンツの再生映像とオーバーラップして当該新規に再生を開始した第二録画コンテンツ情報が図３の（３Ｄ）に示すように自動的にインフォメーション表示される。ここでも当該再生を開始した録画コンテンツは、録画開始が２００４年４月２１日の午前６時で録画終了が同日の午前８時であり、タイトル名はＮＥＷＳ、録画モードはＳＰと表示されている。この情報表示も所定時間の概ね４秒間が経過すると消えて図３の（３Ｃ）に示すように再生映像のみとなる。
【００６２】
図４は本発明におけるデジタル録画再生装置再生時の情報表示の一実施例を示す録画コンテンツ情報の一覧表示例である。
【００６３】
図４に表示された録画コンテンツ情報の一覧の中からユーザが見たい番組を選定するときに表示する場合、当該表示画面８０には、一覧表示された複数の録画コンテンツのうち一覧表示の一番上に表示された録画コンテンツの再生映像が表示される。すなわち、図４の一覧表示例によれば、一覧表示欄の一番上にある、録画開始が２００４年４月２０の午後９時で録画終了が同日の午後１０時、タイトル名はＳＰＯＲＴＳ、録画モードがＬＰの録画コンテンツの映像が再生されて表示され、これにオーバーラップして、複数の録画コンテンツの一覧が表示されている。当該一覧表示には、録画された日付、録画時間、録画のタイトル名、録画モードの欄があり、図１に示す記録メディア７０に記録されている複数の録画コンテンツの概要を表している。この一覧表示の項目は、番組を放映したチャンネルなどを追加することも可能であると共に、一覧表示の表示順は一般的には録画した日時順であるが、ユーザがジャンル別表示や、チャンネル順などに変更することが可能である。この表示画面８０はポップアップメニューで表示されており、ユーザは個々に表示された録画コンテンツ情報のうち、見たい番組である２００４年４月２２日の午前１１時〜午後１時に録画されたニュース番組を図１、及び図６に示すリモコン６０の「ＵＰ／ＤＯＷＮキー」６８の操作により選択すると、選択された録画コンテンツが再生されると共に当該録画コンテンツ情報が自動的に所定時間インフォメーション表示される。
【００６４】
図５は本発明におけるデジタル録画再生装置再生時の情報表示の一実施例を示す情報表示プロセス説明図である。
【００６５】
図１に示す記録メディア７０に複数記録された録画コンテンツ情報は、図２の２０１により、既に当該記録メディア７０から読み出されて、デジタル録画再生装置１に内蔵された内部メモリ４２又は外部メモリ５０に保存され、図５の５０１により、前記メモリから何時でも取り出せる段階にある。
【００６６】
図５の５０２により、ユーザが図１、及び図６に示すリモコン６０の「表示キー」６７を続けて２回押すと前記録画コンテンツ情報処理部４１はリモコン６０の指示が当該記録メディアに記録された複数の録画コンテンツに関する情報の一覧表示を指示したものと判定し、これにより前記メモリから読み出された複数の録画コンテンツ情報は録画コンテンツ情報の一覧として表示画面８０に表示される。
【００６７】
続いて、図５の５０３により、ユーザは再生したい録画コンテンツをポップアップメニューで表示された表示画面８０の中から図１、及び図６に示すに示すリモコン６０の「ＵＰ／ＤＯＷＮキー」６８の操作で選択し前記リモコン６０の「確定キー」６９を押すことで、
【００６８】
図５の５０４により、当該選択された録画コンテンツの映像が再生されると共に、当該録画コンテンツ情報がインフォメーション表示される。
【００６９】
続いて、図５の５０５により、再生中の録画コンテンツの概要を確認するときは前記リモコン６０の「表示キー」６７を１回押すことにより、前記録画コンテンツ情報処理部４１はリモコン６０の指示が現在再生中の録画コンテンツに関する情報表示を指示したものと判定し、当該再生中の録画コンテンツに関する情報をインフォメーション表示する。
【００７０】
次に図５の５０４で再生していた第一録画コンテンツが終了し、次の第二録画コンテンツに切り替わるときにおいては、図５の５０６により、引き続き新規に再生される第二録画コンテンツの映像と共に当該第二録画コンテンツ情報が自動的にインフォメーション表示される。
【００７１】
又、図５の５０４で再生していた録画コンテンツを再生途中で停止し、後に当該録画コンテンツの再生を再開する場合においては、図５の５０７のように、図１、及び図６に示すに示すリモコン６０の「再生キー」６３を１回押すだけで再生が中断していた録画コンテンツの再生が開始されると共に自動的に再生を再開した当該録画コンテンツ情報を自動的にインフォメーション表示されることから、従来例のように、録画コンテンツを再生して見るたびに静止映像の一覧からリモコンの操作で選択することは不要である。
【００７２】
続いて、リモコン６０の各種操作キーと再生映像、及び情報表示例の関係について説明する。
【００７３】
図１、及び図６に示すリモコン６０の「再生キー」６３を１回押すと、記録メディア７０の最初に録画された録画コンテンツから順番に再生が開始され、当該再生された録画コンテンツ情報が自動的に表示される。しかし、記録メディアの中に再生を中断されていた録画コンテンツがある場合は、前記「再生キー」６３を１回押しても、再生を中断されていた録画コンテンツの続きの再生を再開する動作が録画順に再生する動作よりも優先され、当該再生を再開した録画コンテンツの録画コンテンツ情報が自動的に表示される。
【００７４】
続いて、図１、及び図６に示すリモコン６０の「表示キー」６７を１回押すと、現在再生中の録画コンテンツに関する録画コンテンツ情報が自動的に表示され、
【００７５】
同じく「表示キー」６７を２回続けて押すと、記録メディア７０に記録された複数の録画コンテンツに関する録画コンテンツ情報の一覧が表示されると共に、一覧表示された一番上の録画コンテンツの再生映像が表示される。
【００７６】
続いて、図１、及び図６に示すリモコン６０の「ＵＰ／ＤＯＷＮキー」６８により一覧表示の中から特定の録画コンテンツを選択してリモコン６０の「確定キー」６９を押すと、当該選択された録画コンテンツの再生映像と録画コンテンツ情報が自動的に表示される。
【００７７】
また、録画再生中に図１、及び図６に示すリモコン６０の「スキップキー」６６を押すと、再生映像はスキップ後の再生映像と当該録画コンテンツ情報が自動的に表示される。
【００７８】
さらに録画再生中に第一録画コンテンツが終了し、第二録画コンテンツに切り替わるときは、続いて再生される第二録画コンテンツの再生映像と、当該第二録画コンテンツ情報が自動的に表示されるので、リモコン６０の操作は不要である。
【００７９】
以上のように本実施例によれば、本発明のデジタル録画再生装置１には、図１、及び図６に示すリモコン６０の「表示キー」６７を押して当該記録メディア７０にどのような番組を何時録画してあったのかを一覧で表示することが出来ることから、ユーザはどのような番組を何時録画していたのかを誰でもが簡単容易に知ることが出来る。更にその番組の概要を録画日時やタイトル名から予め確認した上で、表示画面８０にポップアップメニュー表示された中から見たい番組を録画した録画コンテンツを図１、及び図６に示すリモコン６０の「ＵＰ／ＤＯＷＮキー」６８により選択し、リモコン６０の「確定キー」６９を押すだけで見たい番組を選べるので、一覧表示された中から特定の録画コンテンツを検索して再生することは簡単容易である。
【００８０】
また、これに引き続き、当該選択された再生開始映像にオーバーラップして当該再生映像に関する録画コンテンツ情報を前記表示制御部４３により前記表示画面８０に再生映像と共に自動的に所定時間の概ね４秒間インフォメーション表示することから、再度リモコン６０を操作する必要もなく、当該選択した録画コンテンツがユーザにとって見たい番組であったのか否かも再度確認することが簡単に出来る。
【００８１】
さらに、再生が開始されるときに録画コンテンツ情報と共に表示画面８０に表示される再生映像は静止映像ではなく、動画が再生されるので、映し出された再生映像の変化と録画コンテンツ情報によるタイトル名や録画日時情報との両方からユーザは確認することが出来る。
【００８２】
続いて、記録メディア７０に記録された複数の録画コンテンツの中から最初に録画された録画コンテンツから順番に再生するときは、図１、及び図６に示すリモコン６０の「再生キー」６３を押す操作だけで最初に録画された録画コンテンツから順番に再生を開始し、当該再生開始映像にオーバーラップして当該再生映像に関する録画コンテンツ情報を前記表示制御部４３により前記表示画面８０に再生映像と共に自動的に所定時間インフォメーション表示することから、録画コンテンツの再生をするたびに複数の録画コンテンツを代表する静止映像からリモコン６０を操作して選択する必要もなく、再生を開始した映像と録画日時や、録画した番組内容を代表するタイトル名などから再生された番組の概要を確認することが出来る。
【００８３】
また、録画コンテンツを再生途中に停止し、用事などを済ませ、後に再生を再開させるときは、前記リモコン６０の「再生キー」６３を押す操作により前記再生途中に停止した停止位置をスタートとして再生を再開すると共に、再生を開始した映像にオーバーラップして当該再生映像の録画コンテンツ情報を自動的に所定時間インフォメーション表示することから、従来例のように、複数の録画コンテンツの中に再生途中に停止した録画コンテンツが含まれる静止映像の一覧表示の中からリモコン６０を操作して再生を中断していた録画コンテンツを検索する必要もなく、ユーザにとって使い勝手が向上していると共に、停止で再生を中断していた番組の再生映像と、再生を再開した番組の概要を示す録画コンテンツ情報との両方から確認することが出来ることから、停止させたことで再生内容を忘れてしまっていても、停止前にどの録画コンテンツを再生していたかがすぐに分かり、ユーザは再生を中断するまで見ていた番組の概要に関する記憶が容易によみがえらせることが出来る。
【００８４】
さらに、リモコン６０の「再生キー」６３を押した場合、録画順に再生する、及び再生を中断した録画コンテンツの再生を再開する、の２通りの再生が可能であるが、再生を中断した録画コンテンツを優先して視聴したいとの一般的な考え方を考慮して、本実施例では当該記録メディア７０の中に再生を中断した録画コンテンツがある場合は、これを優先して再生するようにしている。
【００８５】
また、記録メディア７０に記録された複数の録画コンテンツの切り替わりに際しても、ひき続いて再生を開始した再生映像に関する録画コンテンツ情報を当該再生映像にオーバーラップして前記表示制御部４３により前記表示画面８０に再生映像と共に自動的に所定時間インフォメーション表示することから、録画コンテンツの切り替わりに際してもリモコン６０の操作による再生映像の確認を要することの必要も無く、次に再生を開始した録画コンテンツの概要を誰でも簡単容易に確認することが出来るので、ユーザにとって利便性の向上を図ることが出来る。
【００８６】
また、これらの情報表示手段はデジタル録画再生装置１のマイコンソフト処理のみで行うことが出来るので特段のコストも要しない。更に、従来例のように録画コンテンツに対応した静止映像の一覧表示から選択する方法とは異なり、動画で再生が開始され、この映像にオーバーラップして録画コンテンツ情報によるタイトル名や録画日時情報との両方からユーザは確認することが出来ることから、録画した内容を忘れていた場合でも映し出された再生映像の変化と当該録画コンテンツ情報の両方から容易に思い出すことが出来ると共に、予め録画予約をしていなかったことなどにより、思いついてから慌てて録画を開始してしまったときとか、見ていた番組を途中から録画をしたくなったときなどにおいては、録画開始の一瞬が録画コンテンツのスタート時刻と若干のズレを生じてしまうことがある。例えば録画開始時刻が早すぎて録画したい番組の前の番組の最後にあたる部分となってしまうとか、コマーシャルなどのタイミングと合致してしまう、又は番組が始まってしまうといった状況が想定されるが、こうした場合でも、映し出された映像は動画であり、例えば前の番組の最後にあたる部分から再生が開始され、コマーシャルを挟んで見たい番組が再生されるまでの間に、再生映像とオーバーラップして表示されるタイトル名と録画日時などの録画コンテンツ情報により、これから再生を開始する録画コンテンツが見たい番組を録画した録画コンテンツであるか否かを容易に、且つ的確に判断することが出来ることから、ユーザは何の心配も抱かずに継続して映し出された映像を見ながら当該番組の先頭画面まで待つか、或いはリモコン６０のスキップキー６６を操作して番組の頭出しをすることが出来る。このときもスキップして再生を開始した再生映像と共に録画コンテンツ情報が自動的に所定時間インフォメーション表示されるので、従来例のように、録画開始のタイミングにズレを生じてしまうことなどにより録画内容を代表する先頭画面の静止映像が真に当該録画コンテンツを代表する静止映像でないような状況におかれ、当該静止映像の一覧から再生しようとする番組の概要を推察することが困難となることも回避され、この録画コンテンツ情報から見たい番組であるか否かの判断が出来ない状況になるような恐れは回避される。
【００８７】
以上、本実施例を詳述したが、本発明は、前記実施例に限定されるものではなく、本発明の要旨の範囲内で種々の変形実施が可能である。例えば、デジタル録画再生装置１における記録メディアは大容量でランダムアクセスが可能な記録メディアの録画コンテンツを読み書きすることが出来るものであればＤＶＤに限定されるものではなくＨＤＤなどに変更が可能であり、又、デジタル録画再生装置に映像を表示する部分が一体に組み込まれている必要はなく、複数の装置を組み合わせて本発明のデジタル録画再生装置１の機能を発揮することは容易に実現可能である。更に、録画コンテンツ情報のタイトル名や録画日時、録画モードなどの他、チャンネルなどを追加するなども可能であり、又、項目や内容、表示画面８０上の配置などは録画コンテンツの内容を的確に伝えることが可能な範囲で使い易さを配慮して変更することなども可能である、更に、「選択再生」を行う場合、最初に一覧表示を指示するために「表示キー」６７を２回押す方法とは別に、リモコン６０に「一覧表示キー」（図示略）を別に設けて１回押すだけで指示する方法など使い易さを配慮して変更することなども可能であり、前記実施例に限定されるものではなく、適宜選定すればよい。
【図面の簡単な説明】
【００８８】
【図１】本発明の一実施例を示すデジタル録画再生装置と再生時の情報表示の概略の構成を示すブロック説明図である。
【図２】本発明の一実施例を示すデジタル録画再生装置の情報表示のフロー説明図である。
【図３】本発明の一実施例を示すデジタル録画再生装置の情報表示の変遷を示す表示画面の説明図である。
【図４】本発明の一実施例を示すデジタル録画再生装置の情報表示における一覧表示例の説明図である。
【図５】本発明の一実施例を示すデジタル録画再生装置再生時の情報表示例のプロセスを示す説明図である。
【図６】本発明の一実施例を示すデジタル録画再生装置の遠隔操作を行うリモコンの操作キー配置を示す斜視説明図である。
【図７】従来のデジタル録画再生装置の再生処理において表示される選択画面を示す説明図である。
【符号の説明】
【００８９】
１          デジタル録画再生装置
３０        映像音声処理部
４０        ＣＰＵ
４１        録画コンテンツ情報処理部
４２        内部メモリ
４３        表示制御部
６０        リモコン
７０        記録メディア
【図１】
2006014012.tif 000003
【図２】
2006014012.tif 000004
【図３】
2006014012.tif 000005
【図４】
2006014012.tif 000006
【図５】
2006014012.tif 000007
【図６】
2006014012.tif 000008
【図７】
2006014012.tif 000009